(57)【要約】【課題】床材を剥離させる作業に要する労力を低減させることができる床材剥離具及び床材剥離方法を提供する。【解決手段】床下地面２００に貼着された床材１００を剥離させるための床材剥離具１であって、棒状の柄部１０と、柄部１０の先端に装着された刃部２０と、を備える。刃部２０は、鋭角をなす二辺を有する一対の板状片２２、２３を有する。一対の板状片２２、２３の一方の辺２２ａ、２２ｂの各々に刃先を設ける。他方の辺２２ｂ、２３ｂ同士が当接（近接）するように、かつ、刃先を床下地面２００に当接させたときに他方の辺２２ｂ、２３ｂが刃先よりも鉛直方向上方に位置するように、一対の板状片２２、２３を傾斜配置する。【選択図】図１
2016014303.tif 000002
【特許請求の範囲】
【請求項１】
床下地面に貼着された床材を剥離させるための床材剥離具であって、
棒状の柄部と、前記柄部の先端に装着された刃部と、を備え、
前記刃部は、鋭角をなす二辺を有する一対の板状片を有し、
前記一対の板状片の一方の辺の各々には刃先が設けられており、
前記一対の板状片は、他方の辺同士が当接又は近接するように、かつ、前記刃先を前記床下地面に当接させたときに前記他方の辺が前記刃先よりも鉛直方向上方に位置するように、傾斜配置されている、床材剥離具。
【請求項２】
前記刃先を前記床下地面に当接させたときに前記刃部よりも鉛直方向上方に位置するようにかつ前記刃先の先端よりも前方に延在するように配置構成された保護部を備える、請求項１に記載の床材剥離具。
【請求項３】
前記刃先を前記床下地面に当接させた状態における前記一対の板状片と前記床下地面とのなす角度が、前記刃先から離れるに従って漸次大きくなるように構成されている、請求項１又は２に記載の床材剥離具。
【請求項４】
床下地面に貼着された床材を剥離させるための床材剥離方法であって、
前記床材に切り込みを入れることにより、前記床材の少なくとも表層部を小片に分割する分割工程と、
前記分割工程によって分割した前記小片の少なくとも一部を、刃部を有する床材剥離具を使用して剥離させて前記床下地面の少なくとも一部を露出させる第一剥離工程と、
前記第一剥離工程によって露出させた前記床下地面と残存する前記小片との間に前記床材剥離具の前記刃部を差し込み、前記床下地面上で前記床材剥離具を滑らせるように移動させることにより、残存する前記小片を剥離させる第二剥離工程と、
を含む、床材剥離方法。
【請求項５】
前記床材は、少なくともその表層部において所定方向に平行配列された幅狭かつ長尺の形状を有し、
前記分割工程では、前記床材の長手方向に対して略直交する方向に切り込みを入れて前記小片に分割する、請求項４に記載の床材剥離方法。
【請求項６】
前記第一剥離工程及び前記第二剥離工程において、請求項１から３の何れか一項に記載の床材剥離具を使用する、請求項４又は５に記載した床材剥離方法。
【発明の詳細な説明】
【技術分野】
【０００１】
本発明は、床材剥離具及び床材剥離方法に関する。
【背景技術】
【０００２】
現在、住宅等の建物においては、コンクリート・モルタル等からなる平坦な床下地面に直接あるいは転ばし根太を介して木質系の床材（フローリング材）を接着剤や粘着剤を用いて貼着してなる床構造が採用されている。近年においては、種々の理由（床材表面の損傷、部屋の模様替え、床暖房の設置等）により、このような床構造の木質系の床材を床下地面や転ばし根太から剥離させて貼り替えるリフォームが行われる場合がある。
【０００３】
床のリフォームの際には、床下地面（転ばし根太）と床材との間に、先端が平坦な工具（バール等）を単純に差し込んで剥離させる方法が一般的に採用されていた（例えば、特許文献１参照）。
【先行技術文献】
【特許文献】
【０００４】
【特許文献１】特開平１０−０８８８１８号公報
【発明の概要】
【発明が解決しようとする課題】
【０００５】
しかし、特許文献１に記載されたような従来の方法を採用すると、床材を剥離させる作業に多大な労力を要してしまうという問題があった。
【０００６】
本発明は、かかる事情に鑑みてなされたものであり、床材を剥離させる作業に要する労力を低減させることができる床材剥離具及び床材剥離方法を提供することを目的とする。
【課題を解決するための手段】
【０００７】
前記目的を達成するため、本発明に係る床材剥離具は、床下地面に貼着された床材を剥離させるためのものであって、棒状の柄部と、柄部の先端に装着された刃部と、を備え、刃部は、鋭角をなす二辺を有する一対の板状片を有し、一対の板状片の一方の辺の各々には刃先が設けられており、一対の板状片は、他方の辺同士が当接又は近接するように、かつ、刃先を床下地面に当接させたときに他方の辺が刃先よりも鉛直方向上方に位置するように、傾斜配置されているものである。
【０００８】
かかる構成を採用すると、棒状の柄部の先端に装着された刃部を利用して、床材を容易に剥離させることができる。刃部を構成する一対の板状片は、鋭角をなす二辺を有しており、刃先が設けられた片（一方の辺）とは異なる片（他方の辺）同士が当接又は近接するように配置されているため、刃先が設けられた辺（一方の辺）によって１８０°未満の所定角度をなす角部が先端に形成される。さらに、一対の板状片は、刃先を床下地面に当接させたときに他方の辺が刃先よりも鉛直方向上方に位置する（一対の板状片の当接部が刃先よりも上方に隆起する）ように傾斜配置されている。このため、先端の角部を中心にして床材を左右に押し分けるように剥離させることができるので、床材からの抵抗力を軽減させることができ、作業負荷を低減させることができる。
【０００９】
本発明に係る床材剥離具において、刃先を床下地面に当接させたときに刃部よりも鉛直方向上方に位置するようにかつ刃先の先端よりも前方に延在するように配置構成された保護部を採用することができる。
【００１０】
かかる構成を採用すると、床材剥離作業中に、刃部の刃先が壁や他の作業者に当たることを防止することができるため、作業の安全性を向上させることができ、壁も保護することができる。
【００１１】
本発明に係る床材剥離具において、刃先を床下地面に当接させた状態における一対の板状片と床下地面とのなす角度が、刃先から離れるに従って漸次大きくなるように構成することができる。
【００１２】
かかる構成を採用すると、刃先を床下地面と床材との間に食い込み易くすることができ、かつ、その後の床材の捲り上げを容易に行うことができるため、労力を低減させることができる。
【００１３】
また、本発明に係る床材剥離方法は、床下地面に貼着された床材を剥離させるための方法であって、床材に切り込みを入れることにより、床材の少なくとも表層部を小片に分割する分割工程と、分割工程によって分割した小片の少なくとも一部を、刃部を有する床材剥離具を用いて剥離させて床下地面の少なくとも一部を露出させる第一剥離工程と、第一剥離工程によって露出させた床下地面と残存する小片との間に床材剥離具を差し込み、床下地面上で床材剥離具を滑らせるように移動させることにより、残存する小片を剥離させる第二剥離工程と、を含むものである。
【００１４】
かかる方法を採用すると、予め床材を小片に分割した上で床材を床下地面から剥離させることができるため、剥離されていない部分の接着剤（粘着剤）による影響を受け難くする（抵抗力を軽減させる）ことができる。この結果、床材を剥離させる作業に要する労力を低減させることができる。また、剥離させた床材は小片に分割されているため、袋詰めする際に無駄なく詰めることができる。
【００１５】
本発明に係る床材剥離方法において、少なくともその表層部において所定方向に平行配列された幅狭かつ長尺の形状を有する床材を採用した場合に、分割工程で、床材の長手方向に対して略直交する方向に切り込みを入れて小片に分割することができる。
【００１６】
かかる方法を採用すると、床材の長手方向に対して略直交する方向にのみ切り込みを入れるだけで小片に分割することができるため、労力を低減させることができる。
【００１７】
本発明に係る床材剥離方法において、第一剥離工程及び第二剥離工程で、本発明に係る床材剥離具を使用することができる。
【００１８】
かかる方法を採用すると、床材を剥離させる作業に要する労力をより一層低減させることができる。
【発明の効果】
【００１９】
本発明によれば、床材を剥離させる作業に要する労力を低減させることができる床材剥離具及び床材剥離方法を提供することが可能となる。
【図面の簡単な説明】
【００２０】
【図１】本発明の実施形態に係る床材剥離具の全体構成を説明するための斜視図である。
【図２】図１に示す床材剥離具の刃部の構成を説明するための拡大斜視図である。
【図３】図１に示す床材剥離具の刃部を構成する一対の板状体の斜視図である。
【図４】図２のIV-IV部分の断面図である。
【図５】本発明の実施形態に係る床材剥離方法を説明するためのものであって、（Ａ）は、床下地面に貼着された床材の断面図であり、（Ｂ）は、転ばし根太に貼着された床材の断面図であり、（Ｃ）は、床材の切り込み方向を説明するための説明図である。
【図６】本発明の実施形態に係る床材剥離具の変形例を説明するための説明図である。
【図７】本発明の実施形態に係る床材剥離具の他の変形例を説明するための説明図である。
【発明を実施するための形態】
【００２１】
以下、図面を参照して、本発明の実施形態について説明する。なお、以下の実施形態はあくまでも好適な適用例であって、本発明の適用範囲がこれに限定されるものではない。
【００２２】
まず、図１〜図４を用いて、本発明の実施形態に係る床材剥離具１の構成について説明する。本実施形態に係る床材剥離具１は、床下地面２００（図５（Ａ））に直接あるいは転ばし根太３００（図５（Ｂ））を介して貼着された床材１００（図５（Ａ）〜（Ｃ））を剥離させる際に使用されるものであって、図１に示すように、柄部１０と、柄部２０の先端に装着された刃部２０と、を備えている。
【００２３】
柄部１０は、使用者が把持することができるように棒状の形態を有するものである。柄部１０の形態は特に限定されるものではなく、中空の筒体（円筒体、角筒体等）や中実の柱体（円柱体、角柱体等）を採用することができる。柄部１０は、種々の材料（金属、合成樹脂、木等）で構成することができる。本実施形態においては、図１に示すように、使用者が片手を掛けて握ることができる把持部１１を柄部１０の後端に設けている。
【００２４】
刃部２０は、図２〜図４に示すように、柄部１０の先端に装着された基部２１と、基部２１に取り付けられた一対の板状片２２、２３と、を有している。
【００２５】
基部２１は、図２及び図４に示すように、平面視で略五角形状を呈する浅い皿状の部分である。基部２１の表面（使用時に床材１００の反対側に配置される面）の略中央部には、一対の基台部材２１ａ、２１ｂが立てられた状態で取り付けられている。一対の基台部材２１ａ、２１ｂは、図４に示すように、一対の板状片２２、２３の刃先が設けられていない辺２２ｂ、２３ｂ付近の下方を支持して、一対の板状片２２、２３を若干傾斜させた状態で配置するためのものである。本実施形態においては、平面視で細長い三角形状を呈する基台部材２１ａ、２１ｂを採用している。基部２１及び基台部材２１ａ、２１ｂは、種々の材料（金属、合成樹脂、木等）で構成することができる。
【００２６】
なお、本実施形態においては、平面視で略五角形状を呈する浅い皿状の基部２１と、平面視で細長い三角形状を呈する基台部材２１ａ、２１ｂと、を採用したが、基部や基台部材の形態はこれに限られるものではなく、一対の板状片２２、２３を傾斜配置することができるものであればよい。例えば、平面視で略三角形状や略矩形状を呈する平坦な基部を採用することもできる。
【００２７】
一対の板状片２２、２３は、図３に示すように、各々、鋭角をなす二辺（２２ａ及び２２ｂ、２３ａ及び２３ｂ）を有しており、一方の辺２２ａ、２３ａには刃先が設けられている。一対の板状片２２、２３は、床材１００よりも硬質な材料で構成することとする。例えば、床材１００が木材で構成されている場合には、一対の板状片２２、２３を金属材料で構成する。
【００２８】
一対の板状片２２、２３は、図２及び図４に示すように、他方の辺２２ｂ、２３ｂ同士が当接するように、かつ、刃先を床下地面２００に当接させたときに他方の辺２２ｂ、２３ｂが刃先よりも鉛直方向上方に位置するように、傾斜配置されている。一対の板状片２２、２３がこのように配置されることにより、刃先が設けられた一方の辺２２ａ、２３ａによって、図１及び図２に示すような１８０°未満の所定角度をなす角部２４が先端に形成される。また、一対の板状片２２、２３の他方の辺２２ｂ、２３ｂの当接部が、図４に示すように刃先（一方の辺２２ａ、２３ａ）よりも上方に隆起するようになっている。このため、先端の角部２４を中心にして床材１００を左右に押し分けるように剥離させることができる。
【００２９】
なお、本実施形態においては、平面視三角形状の板状片２２、２３を採用したが、板状片の平面形状はこれに限られるものではなく、鋭角をなす二辺を有する形状であればいかなる形状を採用してもよい。また、本実施形態においては、一対の板状辺２２、２３の他方の辺２２ｂ、２３ｂ同士を当接させた例を示したが、これらの辺同士を当接させずに近接させてもよい。一対の板状片２２、２３の傾斜角度（中央の隆起部の高さ）は、適宜設定することができる。
【００３０】
次に、図５を用いて、本発明の実施形態に係る床材剥離方法について説明する。
【００３１】
本実施形態に係る床材剥離方法は、図５（Ａ）に示すようにコンクリート・モルタル等からなる平坦で（床材１００よりも）硬質な床下地面２００に貼着された床材１００や、図５（Ｂ）に示すように転ばし根太３００を介して硬質な床下地面２００に貼着された床材１００を剥離させる方法である。本実施形態においては、図５（Ｃ）に示すように、少なくともその表層部において所定方向に平行配列された幅狭かつ長尺の形状を有する床材１００を剥離させることとする。
【００３２】
まず、図５（Ｃ）に示すように、各種刃物（丸のこ等）を用いて床材１００に切り込み１０１を入れることにより、床材１００の少なくとも表層部を小片１０２に分割する（分割工程）。本実施形態の分割工程では、床材１００の長手方向に対して略直交する方向に切り込み１０１を入れて小片１０２に分割するようにする。なお、分割工程で床材１００に切り込み１０１を入れる際には、本実施形態に係る床材剥離具１の刃部２０を用いることもできる。
【００３３】
次いで、分割工程によって分割した小片１０２の少なくとも一部を、刃部を有する床材剥離具を使用して剥離させて、床下地面２００の少なくとも一部を露出させる（第一剥離工程）。続いて、第一剥離工程によって露出させた床下地面２００と残存する小片１０２との間に床材剥離具の刃部を差し込み、床下地面２００上で床材剥離具を滑らせるように移動させることにより、残存する小片１０２を剥離させる（第二剥離工程）。第一及び第二剥離工程において、本実施形態に係る床材剥離具１を使用することにより、床材１００を剥離させる作業に要する労力をより一層低減させることができる。
【００３４】
なお、図５（Ｂ）に示すように床材１００が転ばし根太３００を介して床下地面２００に貼着されている場合には、床下地面２００と床材１００との間の隙間に床材剥離具の刃部を差し込んで小片１０２を剥離させるようにする。この際、転ばし根太３００を床材１００とともに床下地面２００から剥離させることもできる。床材１００を剥離させた後に転ばし根太３００が残存した場合には、その残存した転ばし根太３００を床材剥離具を用いて剥離させてもよい。
【００３５】
以上説明した実施形態に係る床材剥離具１においては、棒状の柄部１０の先端に装着された刃部２０を利用して、床材１００を容易に剥離させることができる。刃部２０を構成する一対の板状片２２、２３は、鋭角をなす二辺（２２ａ及び２２ｂ、２３ａ及び２ｂ）を有しており、刃先が設けられた辺（一方の辺２２ａ、２３ａ）とは異なる片（他方の辺２２ｂ、２３ｂ）同士が当接するように配置されているため、刃先が設けられた辺（一方の辺２２ａ、２３ａ）によって１８０°未満の所定角度をなす角部２４が先端に形成される。さらに、一対の板状片２２、２３は、刃先を床下地面２００に当接させたときに他方の辺２２ｂ、２３ｂが刃先よりも鉛直方向上方に位置する（他方の辺２２ｂ、２３ｂの当接部が刃先よりも上方に隆起する）ように傾斜配置されている。このため、先端の角部２４を中心にして床材１００を左右に押し分けるように剥離させることができるので、床材１００からの抵抗力を軽減させることができ、作業負荷を低減させることができる。
【００３６】
また、以上説明した実施形態に係る床材剥離方法においては、予め床材１００を小片１０２に分割した上で床材１００を床下地面２００（転ばし根太３００）から剥離させることができるため、剥離されていない部分の接着剤（粘着剤）による影響を受け難くする（抵抗力を軽減させる）ことができる。この結果、床材１００を剥離させる作業に要する労力を低減させることができる。また、剥離させた床材１００は小片１０２に分割されているため、袋詰めする際に無駄なく詰めることができる。また、本方法においては、床材１００の長手方向に対して略直交する方向にのみ切り込み１０１を入れるだけで小片１０２に分割することができるため、労力を低減させることができる。
【００３７】
なお、本実施形態に係る床材剥離具１に各種変更を加えることもできる。例えば、図６に示すように、床材剥離具１の刃部２０の刃先（一対の板状片２２、２３の一方の辺２２ａ、２３ａ）を床下地面２００に当接させたときに刃部２０よりも鉛直方向上方に位置するようにかつ刃先の先端の角部２４よりも前方に延在するように配置構成された保護部３０を設けることができる。このような保護部３０を設けることにより、床材剥離作業中に、刃部２０の刃先が壁や他の作業者に当たることを防止することができるため、作業の安全性を向上させることができ、壁も保護することができる。保護部３０は、種々の材料（金属、合成樹脂、木等）で構成することができる。
【００３８】
また、図７に示すように、刃先（一対の板状片２２、２３の一方の辺２２ａ、２３ａ）を床下地面２００に当接させた状態における一対の板状片２２、２３と床下地面２００とのなす角度が、刃先から離れるに従って漸次（又は段階的に）大きくなるように構成することもできる。このような構成を採用すると、刃先を床下地面２００と床材１００との間に食い込み易くすることができ、かつ、その後の床材１００の捲り上げを容易に行うことができるため、労力を低減させることができる。
【００３９】
本発明は、以上の実施形態に限定されるものではなく、かかる実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００４０】
１…床材剥離具
１０…柄部
２０…刃部
２２・２３…板状体
２２ａ・２３ａ…一方の辺
２２ｂ・２３ｂ…他方の辺
３０…保護部
１００…床材
１０１…切り込み
１０２…小片
２００…床下地面
【図１】
2016014303.tif 000003
【図２】
2016014303.tif 000004
【図３】
2016014303.tif 000005
【図４】
2016014303.tif 000006
【図５】
2016014303.tif 000007
【図６】
2016014303.tif 000008
【図７】
2016014303.tif 000009